(57)【要約】【課題】  機器等を設置する床面は完全な平坦ではないために、これを解消すると共に安定的かつ揺れを吸収するアジャスターを提供する。【解決手段】アジャスター座面円周の任意の箇所に穴加工し、その後、前記座の上下円周側面に弾性樹脂で成型加工を施し、さらに当該座とボルトのツバとの間隙に弾性樹脂のワッシャと金属製のワッシャを組み込んでなる揺れを吸収するアジャスターである。【選択図】図１
0003154501.tif 000002
【実用新案登録請求の範囲】
【請求項１】
座面円周の任意の箇所に複数の孔加工をし、その後当該座の上下円周側面に弾性樹脂で成型加工を施し、更に、当該座とボルトのツバとの間に弾性樹脂のワッシャと金属製ワッシャを組み込んだことを特徴とする、揺れを吸収するアジャスター。
【考案の詳細な説明】
【技術分野】
【０００１】  本考案は、機器や家具等を設置する床面が完全な平坦ではないために生じるがたつきを解消し、安定かつ地震等の振動や揺れを吸収するアジャスターの提供に関するものである。
【背景技術】
【０００２】  機器や家具等を設置する場合一般的に、がたつきの解消や水平を保持するため、機器や家具等の脚下にアジャスターを取り付けて、がたつきや高さの調整を行っている。またアジャスター座面と床面の接地面の傷を防ぎ、アジャスターその物の滑りを防止するために、ゴムや樹脂などで座面円周に加工を施した物がある。【０００３】  先行技術としては、テーブルの脚下に設置されるアジャスターに粘弾性体を用い、粘弾性体の性質により、自動的に脚の長さを調整するアジャスター（例えば、特許文献１）が考案されている。また、特定の機械装置において、床面の傾きの吸収と併せて振動を制御させる（例えば、特許文献２）機械装置がある。或いは、浴槽を設置する際の高さ調整と防振機能を併せ持つアジャスター（例えば、特許文献３）が考案されている。またその他に、設置する床面の傷を防ぐアジャスター（例えば、特許文献４）が考案されている。
【先行技術文献】
【特許文献】
【０００４】
【特許文献１】特開２００８−１８２２３号公報
【特許文献２】特開２００３−２７８７３４号公報
【特許文献３】実開平５−８５９４４号公報
【特許文献４】特開２０００−２８７７７２号公報
【考案の概要】
【考案が解決しようとする課題】
【０００５】  機器や家具等を設置する床面は完全な平坦ではないために、高さ調整が可能で滑りにくいアジャスターを提供してきたが、本来の機能ではない床面とアジャスター座面の接触部分を滑らせて設置される場合があり、このような設置方法を用いた場合には、アジャスター座面の外周に加工している樹脂が外れてしまう。【０００６】これを回避する方法として、アジャスター座の樹脂の硬度を高くすることで解決するが、振動や揺れを吸収する観点からは課題が残った。そこで硬度の低い樹脂でのアジャスター座の製作を試みた。しかし、これは樹脂と金型との離型が容易ではなく、量産に向かないという課題が発生した。また硬度の低い樹脂で製作したアジャスター座は、上下円周側面に加工した樹脂が外れる課題も発生した。
【課題を解決するための手段】
【０００７】  そこで本考案は、上記課題を鑑みてなされるものである。すなわち、アジャスター座面の上下円周測面に加工した樹脂の外れを解消し、地震等の振動や揺れを吸収するために、アジャスター座面円周の任意の箇所に複数の孔加工をし、その後、アジャスター座の上下円周側面に、弾性樹脂で成型加工を施すことにより、アジャスター座の弾性樹脂の脱落を防ぎ、更にアジャスター座とボルトのつばとの隙間に、弾性樹脂ワッシャと金属製ワッシャを組み込むことにより、振動や揺れを吸収すると共に、汎用性があり量産可能なアジャスターを提供する。
【考案の効果】
【０００８】  アジャスター座面の上下円周側面に弾性樹脂を被せ、更にアジャスター座と、ボルトのツバとの接合面の隙間に弾性樹脂ワッシャと金属製ワッシャを組み込み一体化することで、地震等の振動を吸収し、機器や家具等が倒れるほどに大きく揺れるのを防止することが可能である。また、アジャスター座は射出成型により製造が容易に出来るので、多種サイズの製作、量産が可能である。【０００９】  アジャスター座裏の底面側はナット加工を施しているので、インパクトレンチで容易に螺装可能である。同じくアジャスター座の床との裏底面側のボルトの頂部にはドライバーでの螺装が可能なように十字孔加工を施している。その他の作用効果としては、床面とアジャスター座面の接地部分を弾性体樹脂としているので、傷を防止できると共に、弾性体樹脂の色を変えることにより設置場所、設置時期の識別を施すことが出来るのである。
【図面の簡単な説明】
【００１０】
【図１】本考案アジャスターの構造を示す図である。
【図２】本考案アジャスターの斜視図である。
【図３】本考案アジャスターの実施例を示す図である。
【考案を実施するための形態】
【００１１】  本考案のアジャスターについて、添付図面図１に従って一実施例を説明する。初めにアジャスターの座となる弾性樹脂付座０３Ａを製作する。まず任意の金属製板材をプレス機で打ち抜き孔と絞り加工を行う。次に孔と絞り加工を施したアジャスター座を樹脂成型金型に取り付け、弾性のある熱可塑性樹脂を用い射出成型する。弾性樹脂ワッシャ０３Ｂについては、弾性のある熱可塑性樹脂で射出成型する。その他の部材としては、ボルト０３Ｄ、組込み用ナット０３Ｇ、高さ調整用ロックナット０３Ｅ、金属製ワッシャ０３Ｃを用意する。その後、プレス機の金型に前述のボルト０３Ｄをセットし、弾性樹脂ワッシャ０３Ｂと、金属製ワッシャ０３Ｃの穴をボルトの頂部軸に挿入する。続いて前述の弾性樹脂付座０３Ａをボルト０３Ｂの頂部軸に挿入する。更に組込み用ナット０３Ｇを同様にボルト０３Ｄの軸に挿入後プレスし、ボルト０３Ｄに高さ調整用ロックナット０３Ｅを螺装して一体構造とすることによって完成する。
【実施例】
【００１２】  本考案の揺れを吸収するアジャスターを用いた取り付け方法について説明する。取り付け機器として、作業台、ラック、陳列ケース、搬送用コンベアー、棚、複写機、机等がある。取り付ける対象となる機器の脚の雌ねじ径に応じて、ボルトの径を選択する。次に脚の雌ネジ部分に、ボルトの雄ネジ部分を螺装する。その後、設置場所に合わせて高さの調整を行いロックナットで高さを固定する。本考案のアジャスターは機器等の自重によりアジャスター座が圧縮したり、復帰したりして、地震などの振動や揺れを吸収し倒れるほどに大きく揺れるのを防止することが出来るのである。また、アジャスター座底裏側には、インパクトレンチで容易に螺合可能なようにナット加工を施し、同じくアジャスター座底裏側のボルトの頂部にはドライバーでの螺合が可能なように十字孔加工を施している。【００１３】  本考案の一実施例を説明したが、設置するものによってアジャスター座の弾性体樹脂の大きさを変えることは勿論、ボルトの太さ、長さを変更することも勿論可能である。使用する熱可塑性樹脂は、揺れを吸収するものであれば限定されない。【００１４】  その他の作用効果としては、床面とアジャスター座の設置部分が弾性体樹脂を用いているので、傷を防止することが出来ると共に、弾性樹脂の色を変えることにより設置場所、設置時期等の識別を施すことが容易である。さらにアジャスター座の座面の外周に複数箇所の任意の孔加工を施してから射出成型することによって、弾性樹脂はアジャスター座の複数箇所の任意の孔に流入して座と弾性樹脂が一体化するので、移動時の外れの問題はなく、アジャスター座とボルトのツバとの接合面の隙間に弾性樹脂ワッシャと金属製ワッシャを組み込み加工することで、より振動や揺れが吸収できるのである。
【符号の説明】
【００１５】０１      機器天板
０２      機器脚
０３      アジャスター
０３Ａ    弾性樹脂付アジャスター座
０３Ｂ    弾性樹脂ワッシャ
０３Ｃ    金属製ワッシャ
０３Ｄ    ボルト
０３Ｅ    高さ調整用ロックナット
０３Ｆ    ボルトツバ
０３Ｇ    組み込み用ナット
０３Ｈ    ボルト頂部十字穴
【図１】
0003154501.tif 000003
【図２】
0003154501.tif 000004
【図３】
0003154501.tif 000005